(57)【要約】【課題】理美容の仕上げ時間を大幅に短縮して、髪の毛へのダメージを極力抑えることができる理美容方法を提供することを目的とする。【解決手段】パーマネントウェーブ用薬品を髪につけた後、圧力のある水蒸気をスチーム強制吹付器（１）へ送ってスチーム強制吹付器（１）から強制的に水蒸気を噴出して髪に当てて、髪にパーマネントウェーブをかける。【選択図】　図１
2004057603.tif 000002
【特許請求の範囲】
【請求項１】
パーマネントウェーブ用薬品を髪につけた後、圧力のある水蒸気をスチーム強制吹付器（１）へ送って該スチーム強制吹付器（１）から強制的に水蒸気を噴出して髪に当てて、髪にパーマネントウェーブをかけることを特徴とする理美容方法。
【請求項２】
毛染め用薬品を髪につけた後、圧力のある水蒸気をスチーム強制吹付器（１）へ送って該スチーム強制吹付器（１）から強制的に水蒸気を噴出して髪に当てて、髪の毛染めを行うことを特徴とする理美容方法。
【請求項３】
毛髪用トリートメント剤を髪につけた後、圧力のある水蒸気をスチーム強制吹付器（１）へ送って該スチーム強制吹付器（１）から強制的に水蒸気を噴出して髪に当てることを特徴とする理美容方法。
【請求項４】
美顔剤を顔につけた後、圧力のある水蒸気をスチーム強制吹付器（１）へ送って該スチーム強制吹付器（１）から強制的に水蒸気を噴出して顔に当てることを特徴とする理美容方法。
【請求項５】
美容薬剤を身体につけた後、圧力のある水蒸気をスチーム強制吹付器（１）へ送って該スチーム強制吹付器（１）から強制的に水蒸気を噴出して身体に当てることを特徴とする理美容方法。
【請求項６】
噴出直前の水蒸気の絶対圧力を、０．２　〜０．５　ＭＰａとして、噴出直前の水蒸気の温度を、１２０　〜　１５０℃とした請求項１、２、３、４又は５記載の理美容方法。
【請求項７】
水蒸気が髪又は顔若しくは身体に当たる直前の風圧を、５〜１５Ｐａとして、水蒸気が髪又は顔に当たる直前の温度を、４０〜４５℃とした請求項１、２、３、４、５又は６記載の理美容方法。
【発明の詳細な説明】
【０００１】
【発明の属する技術分野】
本発明は、理美容方法に関する。
【０００２】
【従来の技術】
従来の理美容方法は、髪にパーマネントウェーブをかける場合、パーマネントウェーブ用薬品を髪につけた後、その髪に遠赤外線等の乾熱を当てるか、又は、自然放置していた。また、髪の毛染めを行う場合、毛染め用薬品を髪につけた後、遠赤外線等の乾熱を当てるか、又は、そのまま放置していた。また、髪にトリートメントを行う場合、毛髪用トリートメント剤を髪につけた後、その髪に湯気を当てていた。また、顔の美容や身体（肌）の美容を行う場合、美顔剤や美容薬剤（化粧品）を顔全面や肌につけた後、そのまま放置していたか、又は、遠赤外線又は湯気を当てていた。なお、湯気は、圧力のない水蒸気（即ち、大気圧下の水蒸気）であり、自然に立ちのぼる状態の湯気を髪又は顔に当てていた。
【０００３】
【発明が解決しようとする課題】
しかしながら、従来の理美容方法では、髪にパーマネントウェーブをかける場合は、１５〜２０分程度髪に乾熱を加えなければならず、若しくは、さらに長い時間自然放置せねばならなかった。また、髪の毛染めを行う場合は、１５〜２０分程度乾熱を加えなければならず、若しくは、さらに長い時間自然放置しなければならなかった。また、髪にトリートメントを行う場合は、３０〜４０分程度湯気を当てなければならず、また、顔や身体（肌）の美容を行う場合は、３０分程度放置しなければならず、仕上げに時間がかかっていた。また、このように仕上げに時間がかかるため、薬品及び高温の熱を、髪又は顔若しくは肌にさらす時間が長くなり、髪の毛又は顔の肌若しくは身体の肌にダメージを与えていた。
【０００４】
さらに、湯気を用いて髪のトリートメントや顔の美容を行う場合において、湯気は髪又は顔に部分的にしか当たらないため、髪又は顔の全体を均一に仕上げることが困難であった。また、身体の肌の美容では、極めて時間がかかっていた。しかも、湯気の出口付近は、熱くて近づけることができず、他方、離れると湯気が当たらないため、湯気の使用は困難であった。
【０００５】
そこで、本発明は、理美容の仕上げ時間を大幅に短縮して、髪の毛又は顔や身体の肌へのダメージを極力抑えることができる理美容方法を提供することを目的とする。
【０００６】
【課題を解決するための手段】
上述の目的を達成するために、本発明に係る理美容方法は、パーマネントウェーブ用薬品を髪につけた後、圧力のある水蒸気をスチーム強制吹付器へ送って該スチーム強制吹付器から強制的に水蒸気を噴出して髪に当てて、（毛髪内部に薬品を極めて短秒間に浸透させ、）髪にパーマネントウェーブをかけるものである。
【０００７】
また、毛染め用薬品を髪につけた後、圧力のある水蒸気をスチーム強制吹付器へ送って該スチーム強制吹付器から強制的に水蒸気を噴出して髪に当てて、（毛髪内部に薬品を極めて短秒間に浸透させ、）髪の毛染めを行うものである。
【０００８】
また、毛髪用トリートメント剤を髪につけた後、圧力のある水蒸気をスチーム強制吹付器へ送って該スチーム強制吹付器から強制的に水蒸気を噴出して髪に当てるものである。この際、毛髪内部にトリートメント剤を極めて短秒間に浸透させることができる。
【０００９】
また、美顔剤を顔につけた後、圧力のある水蒸気をスチーム強制吹付器へ送って該スチーム強制吹付器から強制的に水蒸気を噴出して顔に当てるものである。あるいは、美容薬剤を身体につけた後、圧力のある水蒸気をスチーム強制吹付器へ送って該スチーム強制吹付器から強制的に水蒸気を噴出して身体に当てる方法である。
【００１０】
また、噴出直前の水蒸気の絶対圧力を、０．２　〜０．５　ＭＰａとして、噴出直前の水蒸気の温度を、１２０　〜　１５０℃としている。また、水蒸気が髪又は顔に当たる直前の風圧を、５〜１５Ｐａとして、水蒸気が髪又は顔に当たる直前の温度を、４０〜４５℃としている。
【００１１】
【発明の実施の形態】
以下、実施の形態を示す図面に基づき、本発明を詳説する。
【００１２】
図１に、本発明に係る理美容方法の実施の一形態を示し、パーマネントウェーブ用薬品を髪につけた後、圧力のある水蒸気をスチーム強制吹付器１へ送って該スチーム強制吹付器１から強制的に水蒸気を噴出して髪に当てて、髪にパーマネントウェーブをかけるようにしている。この際、毛髪内部に薬品を極めて短秒間に浸透させることができる。なお、「圧力のある水蒸気」とは、大気圧よりも高い圧力を有する水蒸気をいう。
【００１３】
このように、髪に勢いよく吹き付けられた水蒸気は、髪の全面及び奥内側に、短時間でかつ均一に拡がって、パーマネントウェーブの仕上がりを迅速かつ均一にすることができる。なお、水蒸気の粒子は、水などの粒子に比較して十分に細かいため、髪の内部まで早く浸透する。
【００１４】
言い換えると、スチーム強制吹付器１から強制的に吹き付けられる水蒸気は、従来の湯気に比べて、単位時間当りに髪に送られる熱量が多いため、仕上がりを大幅に短縮することができる。
【００１５】
また、噴出された水蒸気は、吹き出される勢いで周囲の空気を巻き込んで温度を下げ、髪に当たる時点では適度な温度となるため、頭部の火傷などを防止することができる。もちろん、スチーム強制吹付器１から離れていても、確実に、水蒸気を髪に当てることができる。
【００１６】
ここで、本発明の理美容方法に用いられる理美容用水蒸気供給装置について説明すると、この装置は、例えば、図１に示すように、ボイラー４に水を供給する給水タンク５と、高圧の水蒸気を発生させるボイラー４と、ボイラー４からの高圧の水蒸気を低圧にして下流へ送る減圧弁３と、低圧の水蒸気（即ち、圧力のある水蒸気）を噴出するスチーム強制吹付器１と、スチーム強制吹付器１と減圧弁３との間に配設されると共にスチーム強制吹付器１の手元スイッチ６により開状態乃至閉状態に切り換えられる電磁弁２と、を備えている。
【００１７】
そして、この装置の作用を説明すると、ボイラー４にて高圧（例えば、０．５　ＭＰａ）の水蒸気を発生させ、減圧弁３により低圧（例えば、０．２　〜　０．４ＭＰａ）にしてから、その低圧の（圧力のある）水蒸気をスチーム強制吹付器１から噴出させる。言い換えると、ボイラー４から、減圧弁３、電磁弁２を介して、圧力のある（低圧の）水蒸気を送って、スチーム強制吹付器１から強制的に噴出させる。なお、手元スイッチ６のＯＮ状態にて電磁弁２を開状態として水蒸気を噴出させ、他方、手元スイッチ６のＯＦＦ状態にて電磁弁２を閉状態として水蒸気の噴出を停止させる。
【００１８】
このように、上述の装置を使うことで、スチーム強制吹付器１から水蒸気を容易にかつ確実に勢いよく噴出させることができる。また、減圧弁３を設けているため、スチーム強制吹付器１から安定した量の水蒸気を噴出することができ、使い勝手がよくなる。即ち、減圧弁３の上流側の水蒸気圧力が、減圧弁３の下流側の水蒸気圧力に減少するまで、常時、同じ圧力の水蒸気を噴出することができる。なお、電磁弁２本体を閉状態においても加熱すると共に、スチーム強制吹付器１の蒸気流路を加熱することで、スチーム強制吹付器１から水蒸気と同時に高温の水滴が噴出するのを抑制でき、頭部の火傷を防止することができる。
【００１９】
さらに、スチーム強制吹付器１からの噴出直前の水蒸気（噴出直前水蒸気Ｇ１　）において、その絶対圧力（噴出直前圧力Ｐ１　）を、０．２　〜０．５　ＭＰａとし、さらに、その温度（噴出直前温度Ｔ１　）を、１２０　〜　１５０℃とすることで、水蒸気を髪に勢いよく吹き付けることができ、かつ、髪に当たる水蒸気を適度な温度にすることができる。従って、仕上げ時間の一層の短縮化と、毛髪のダメージの防御を図り、火傷を防止して安全性が向上する。しかも、スチーム強制吹付器１を、適度な距離（２０ｃｍ〜４０ｃｍ）でもって、髪から離間させて操作でき、作業性が良好となる。即ち、圧力Ｐ１　及び温度Ｔ１　が下限値未満では、吹き付けられる水蒸気の勢いが弱過ぎて、水蒸気が髪に部分的にしか当たらないため、仕上げに時間がかかり、さらに、髪に当たる水蒸気の温度が低くなるため、髪に付けられた薬品の反応を促進させることができない。他方、圧力Ｐ１　及び温度Ｔ１　が上限値を越えると、吹き付けられる水蒸気の勢いが強過ぎて、水蒸気が髪以外に当たって不快なものとなり、さらに、薬剤と毛髪内部の水分を奪ってしまい、頭皮と毛髪にダメージを与えることとなる。
【００２０】
また、スチーム強制吹付器１から噴出されて髪に当たる直前の水蒸気（当接直前水蒸気Ｇ２　）において、その風圧（当接直前風圧Ｐ２　）を、５〜１５Ｐａとし、さらに、その温度（当接直前温度Ｔ２　）を、４０〜４５℃とすることで、吹き付けられた水蒸気を髪の全体に行き渡らせることができ、かつ、水蒸気を適度な温度で髪に当てることができる。従って、仕上げ時間の一層の短縮化を図り、毛髪のダメージを防ぎ、さらに火傷を防止して安全性が向上する。即ち、風圧Ｐ２　及び温度Ｔ２　が下限値未満では、吹き付けられた水蒸気を髪の全体に行き渡らせることができず、仕上げに時間がかかり、さらに、髪に当たる水蒸気の温度が低いため、髪に付けられた薬品の反応を促進させることができない。他方、風圧Ｐ２　及び温度Ｔ２　が上限値を越えると、吹き付けられた水蒸気が髪を越えて拡がり髪以外に当たって不快なものとなり、さらに、髪に当たる水蒸気の温度が高いため、頭部を火傷する虞れがあり危険なものとなる。
【００２１】
なお、本発明の他の理容方法として、上述の装置を用いて、毛染め用薬品を髪につけた後、圧力のある水蒸気をスチーム強制吹付器１へ送ってスチーム強制吹付器１から強制的に水蒸気を噴出して髪に当てて、髪の毛染めを行うようにしてもよく、また、毛髪用トリートメント剤を髪につけた後、圧力のある水蒸気をスチーム強制吹付器１へ送ってスチーム強制吹付器１から強制的に水蒸気を噴出して髪に当てるようにしてもよい。
【００２２】
また、本発明の別の美容方法として、図２に示すように、美顔剤を顔につけた後、圧力のある水蒸気をスチーム強制吹付器１へ送ってスチーム強制吹付器１から強制的に水蒸気を噴出して顔に当てるようにしてもよい。なお、美顔剤とは、美肌剤の一種で、例えば、顔の肌用トリートメント剤であり、顔の肌を美しくするものである。さらに、図示省略するが、美容薬剤（美肌剤や化粧品）を手や脚や腹や背中等の身体の肌につけた後に、圧力のある水蒸気をスチーム強制吹付器１へ送ってスチーム強制吹付器１から強制的に水蒸気を噴出して、かつ、吹付器１を順次送りつつ肌に当てるようにしてもよい。
【００２３】
なお、本発明は上述の実施の形態に限定されず、本発明の要旨を逸脱しない範囲で設計変更可能である。例えば、スチーム強制吹付器１から水蒸気を拡散状に噴出するようにして、髪又は顔若しくは身体の全体に均一に水蒸気を当てるようにしてもよい。若しくは、スチーム強制吹付器１から水蒸気を一方向に噴出するようにして、髪又は顔の部分的に水蒸気を当てるようにしてもよい。
【００２４】
次に、本発明の方法で理美容を行った結果を本実施例として、従来例と比較して、以下の〔表１〕に示す。なお、本実施例において、噴出直前の水蒸気の圧力を０．３２ＭＰａとし、噴出直前の水蒸気の温度を　１３５℃としている。
【００２５】
【表１】
2004057603.tif 000003
【００２６】
即ち、上記〔表１〕から判るように、髪にパーマネントウェーブをかける場合において、従来例では、髪に乾熱を１５〜２０分当てる必要があったが、本実施例では、髪に水蒸気を２〜３分当てるだけでよい。また、毛染めを行う場合において、従来例では、薬品をつけた後１５〜２０分放置する必要があったが、本実施例では、髪に水蒸気を２〜３分当てるだけでよい。また、髪のトリートメントを行う場合において、従来例では、湯気を２０〜４０分当てる必要があったが、本実施例では、髪に水蒸気を５〜８分当てるだけでよい。また、美顔剤にて顔の手入れを行う場合において、従来例では、美顔剤をつけた後２０分放置する必要があったが、本実施例では、顔に水蒸気を２〜３分当てるだけでよい。また、美肌剤（美容液）を手・脚・胸・腹・背中に塗って肌の手入れを行う場合、従来は２５分間放置していたのが、本実施例では３〜４分水蒸気を当てれば、完了する。このように、本発明では、理美容の仕上げの時間を大幅に短縮するとができる。
【００２７】
【発明の効果】
本発明は上述の如く構成されるので、次に記載する効果を奏する。
【００２８】
（請求項１によれば、）パーマネントウェーブ用薬品をつけた髪に圧力のある水蒸気を吹き付けることで、水蒸気を髪の全体及び毛髪内部に迅速に行き渡らせることができ、短時間でかつ均一にパーマネントウェーブをかけることができる。また、仕上げ時間の短縮化により、高温の熱及び薬品を髪にさらす時間が短くなって、髪の毛へのダメージを極力抑えることができる。そして、遠赤外線による乾熱を用いる従来の方法に於て、薬品と毛髪内部の水分を奪って頭皮と毛髪にダメージを与えていた問題を解決できる。
【００２９】
（請求項２によれば、）毛染め用薬品をつけた髪に圧力のある水蒸気を吹き付けることで、水蒸気を髪の全体及び毛髪内部に迅速に行き渡らせて、薬品を髪に十分に浸透させることができ、短時間でかつ均一に毛染めを行うことができる。また、仕上げ時間の短縮化により、高温の熱及び薬品を髪にさらす時間が短くなって、髪の毛へのダメージを極力抑えることができる。
【００３０】
（請求項３によれば、）毛髪用トリートメント剤をつけた髪に圧力のある水蒸気を吹き付けることで、水蒸気を髪の全体及び毛髪内部に迅速に行き渡らせることができ、短時間でかつ均一にトリートメントを行うことができる。また、仕上げ時間の短縮化により、高温の熱を髪にさらす時間が短くなって、髪の毛へのダメージを極力抑えることができる。
【００３１】
（請求項４によれば、）美顔剤をつけた顔に圧力のある水蒸気を吹き付けることで、水蒸気を顔の全面に迅速に行き渡らせることができ、短時間でかつ均一に顔の美容を行うことができる。
【００３２】
（請求項５によれば、）美容薬剤（化粧品や美肌剤等）をつけた身体の肌に圧力のある水蒸気を吹き付けながら、次々と身体の各部に水蒸気を迅速に当てて、短時間でかつ均一に肌の美容を行うことができる。
【００３３】
（請求項６によれば、）水蒸気を髪又は顔の全体に確実に行き渡らせることができ、理美容の仕上げ時間の一層の短縮化、及び、髪の毛又は顔の肌へのダメージの一層の抑制を、図ることができる。また、水蒸気を適度な温度で髪又は顔に当てることができ、髪又は顔につけられた薬品等の反応・浸透を促進しつつ、頭部（頭皮と毛髪）又は顔面若しくは身体の肌のダメージや火傷を防止することができる。
【００３４】
（請求項７によれば、）水蒸気を髪又は顔の全体に確実に行き渡らせることができ、理美容の仕上げ時間の一層の短縮化、及び、髪の毛又は顔の肌や身体の肌へのダメージの一層の抑制を、図ることができる。また、水蒸気を適度な温度で髪又は顔若しくは身体に当てることができ、髪又は顔若しくは身体の肌につけられた薬品や美容液等の反応・浸透を促進しつつ、頭部又は顔面若しくは肌の火傷を防止することができる。
【図面の簡単な説明】
【図１】本発明の実施の一形態を示す簡略全体構成説明図である。
【図２】他の実施の形態を示す作用説明図である。
【符号の説明】
１　スチーム強制吹付器
【図１】
2004057603.tif 000004
【図２】
2004057603.tif 000005